(57)【要約】【課題】空調用空気吹出し口に隣接して配置される車載機器の固定部を、前記空気吹出し口特有の形状を利用することにより最小限の部品構成で覆い、部品点数および組付け工数を削減可能であるとともに、固定箇所周辺の外観を向上可能である車両の空調吹出し口周辺構造を提供する。【解決手段】車両室内の内装材（３）に、空調用空気吹出し口（２）と、前記内装材で覆われた車載機器（１）の操作部（３１）とを隣接して配置した空調吹出し口周辺構造において、前記車載機器の操作部に隣接して前記内装材に開口部（３２）を設け、該開口部の内側に、前記空気吹出し口と前記車載機器から延出した固定部（１５）とを隣接して配置し、前記開口部の前記空気吹出し口側には空調ルーバー（４）を設け、該空調ルーバーは所定の間隔で配置された複数のフィン（４１）を備える一方、前記開口部の前記固定部側には前記固定部を覆うカバー（５）を着脱可能に設け、該カバーは、前記フィンと同意匠の片部（４２）を備えた。【選択図】図５
2007190933.tif 000002
【特許請求の範囲】
【請求項１】
車両室内の内装材に、空調用空気吹出し口と、前記内装材で覆われた車載機器の操作部とを隣接して配置した空調吹出し口周辺構造において、前記車載機器の操作部に隣接して前記内装材に開口部を設け、該開口部の内側に、前記空気吹出し口と前記車載機器から延出した固定部とを隣接して配置し、前記開口部の前記空気吹出し口側には空調ルーバーを設け、該空調ルーバーは所定の間隔で配置された複数のフィンを備える一方、前記開口部の前記固定部側には前記固定部を覆うカバーを着脱可能に設け、該カバーには、前記フィンと同意匠の片部を備えたことを特徴とする車両の空調吹出し口周辺構造。
【請求項２】
前記片部と、前記複数のフィンのうち直近のフィンとの間隔が、前記複数のフィンの間隔と等しいことを特徴とする請求項１に記載の車両の空調吹出し口周辺構造。
【請求項３】
前記片部を前記開口部内に取り付けた状態で、前記片部の両側に、作業者が指を挿入可能な空間が形成されていることを特徴とする請求項１または２に記載の車両の空調吹出し口周辺構造。
【請求項４】
前記空調ルーバーは風向調整つまみを備え、該風向調整つまみが前記開口部の中央に配置されていることを特徴とする請求項１〜３のいずれか１項に記載の車両の空調吹出し口周辺構造。
【請求項５】
前記内装材が、前記車載機器の意匠面を形成する意匠パネルであり、該意匠パネルを拡張した拡張部に前記開口部が設けられていることを特徴とする請求項１〜４のいずれか１項に記載の車両の空調吹出し口周辺構造。
【発明の詳細な説明】
【技術分野】
【０００１】
本発明は、車両の空調吹出し口周辺構造に関し、さらに詳しくは、空調用空気吹出し口に隣接して配置される車載機器の固定箇所の外観を、前記吹出し口特有の形状を利用して向上させる構造に関する。
【背景技術】
【０００２】
一般に、車両のインストルメントパネルの中央部には、空調用空気吹出し口に隣接して空調操作ユニットやオーディオユニットなどの車載機器が配置されている。このような車載機器の固定構造としては、例えば、インストルメントパネルに空調用空気吹出し口とオーディオユニットとを独立して配置し、これらの車載機器をブラケットに固定した後、意匠面側に前面化粧板を取付けることにより、固定箇所を覆うようにしている（特許文献１参照）。
【０００３】
このような固定構造においては、空調用の空気吹出し口の周囲を囲む内装部品や、オーディオユニットの意匠面パネルとは別に、固定箇所を覆い隠すための前面化粧板を設けているため、部品点数が多くなるとともに、これらの組付け工数が増加し、各部品の合わせ部（見切りライン）の数が増えるため、隙間の寸法管理を厳格に行う必要があり、良好な外観を確保し難いという問題があった。
【０００４】
【特許文献１】特開２０００−１３５９２２号公報
【発明の開示】
【発明が解決しようとする課題】
【０００５】
本発明はこのような実状に鑑みてなされたものであって、その目的は、空調用空気吹出し口に隣接して配置される車載機器の固定部を、前記空気吹出し口特有の形状を利用することにより最小限の部品構成で覆い、部品点数および組付け工数を削減可能であるとともに、固定箇所周辺の外観を向上可能である車両の空調吹出し口周辺構造を提供することにある。
【課題を解決するための手段】
【０００６】
上記従来技術の有する課題を解決するため、本発明は、車両室内の内装材に、空調用空気吹出し口と、前記内装材で覆われた車載機器の操作部とを隣接して配置した空調吹出し口周辺構造において、前記車載機器の操作部に隣接して前記内装材に開口部を設け、該開口部の内側に、前記空気吹出し口と前記車載機器から延出した固定部とを隣接して配置し、前記開口部の前記空気吹出し口側には空調ルーバーを設け、該空調ルーバーは所定の間隔で配置された複数のフィンを備える一方、前記開口部の前記固定部側には前記固定部を覆うカバーを着脱可能に設け、該カバーには、前記フィンと同意匠の片部を備えたことを特徴とする。
【０００７】
本発明において、前記片部と、前記複数のフィンのうち直近のフィンとの間隔が、前記複数のフィンの間隔と等しいことが好適である。前記片部を前記開口部内に取り付けた状態で、前記片部の両側に、作業者が指を挿入可能な空間が形成されていることが好適である。また本発明において、前記空調ルーバーは風向調整つまみを備え、該風向調整つまみが前記開口部の中央に配置されていることが好適である。
なお、開口部の中央とは、単純に開口部の上下方向または左右方向の寸法的な中間地点を意味するのではなく、開口部が上下左右に非対称である場合（例えば三角形状などの場合）には、幾何学的な重心付近が中央となる。逆に、開口部が上下方向または左右方向に対称である場合には、対称方向の中間地点であれば、非対称方向には偏った配置であっても良い。
さらに本発明において、前記内装材が、前記車載機器の意匠面を形成する意匠パネルであり、該意匠パネルを拡張した拡張部に前記開口部が設けられていることが好適である。
【発明の効果】
【０００８】
本発明によれば、車両室内の内装材に、空調用空気吹出し口と、前記内装材で覆われた車載機器の操作部とを隣接して配置した空調吹出し口周辺構造において、前記車載機器の操作部に隣接して前記内装材に開口部を設け、該開口部の内側に、前記空気吹出し口と前記車載機器から延出した固定部とを隣接して配置し、前記開口部の前記空気吹出し口側には空調ルーバーを設け、該空調ルーバーは所定の間隔で配置された複数のフィンを備える一方、前記開口部の前記固定部側には前記固定部を覆うカバーを着脱可能に設け、該カバーには、前記フィンと同意匠の片部を備えたので、前記片部が空調ルーバーのフィンの１つであるように認識させる視覚的効果を生じ、カバーが空調ルーバーに同化して目立ち難くなり、自然な外観を得ることができる。
【０００９】
本発明において、前記片部と、前記複数のフィンのうち直近のフィンとの間隔が、前記複数のフィンの間隔と等しい態様では、前記カバーが空調ルーバーに一層同化して目立ち難くなる。
また、前記片部を前記開口部内に取り付けた状態で、前記片部の両側に、作業者が指を挿入可能な空間が形成されている態様では、カバーの片部がカバー着脱時の把持部の機能を兼ね、別途把持部を設ける必要が無く、また、工具等を必要とせずにカバーの着脱を容易に行なうことができる。
また、前記空調ルーバーは風向調整つまみを備え、該風向調整つまみが前記開口部の中央に配置されている態様では、前記風向調整つまみが、前記片部を含めた開口部全体が空調ルーバーを構成しているように認識させる視覚的効果を生じ、前記カバーが空調ルーバーに一層同化して目立ち難くなる。
【００１０】
さらに本発明の好適な態様では、前記内装材が、前記車載機器の意匠面を形成する意匠パネルであり、該意匠パネルを拡張した拡張部に前記開口部が設けられているので、空調吹出し口周辺の見切りラインが減少し簡潔な外観が得られるうえ、部品点数及び組付け工数を削減でき、かつ部品の寸法管理も容易となる。
【発明を実施するための最良の形態】
【００１１】
以下、本発明の実施の形態について、車載機器が車載オーディオユニットである場合を例に取り、図面を参照しながら詳細に説明する。
図１は、自動車のインストルメントパネル１０を示す斜視図であり、オーディオユニット１は、インストルメントパネル１０の中央部に組み込まれ、その両側に隣接して空調用空気吹出し口２が配設されている。図２は、オーディオユニット１の意匠面を構成するガーニッシュ３（意匠パネル）付近を示す拡大図であり、ガーニッシュ３の中央には、オーディオ機器の操作ボタン１１等が配置されオーディオ操作パネル領域３１を構成し、該オーディオ操作パネル領域３１の両側に開口部３２が設けられ、この開口部３２に、風向を調節するための空調ルーバー４を配置し、空調用空気吹出し口２を構成している。
【００１２】
オーディオユニット１は、図３及び図４に示すように、オーディオ機構部１２の操作面側に前記ガーニッシュ３が固定され、該ガーニッシュ３に穿設された孔からオーディオ機構部１２の操作ボタン１１等を露出させ前記オーディオ操作パネル領域３１を構成している。また、オーディオ機構部１２の周囲には放熱空間を確保した状態で固定するためのブラケット１４が取付けられており、該ブラケット１４の両側方には締付固定部１５が延設され、下方には車体メンバーへの差込部１６が設けられている。また、ガーニッシュ３の裏面側周辺部にはインストルメントパネル１０に嵌合するための係止部３３ａ，３３ｂ，３３ｃ，３３ｄが一体に成型されている。
【００１３】
空調ルーバー４は、それぞれ水平方向に延在し上下に並設された複数のフィン４１と、該複数のフィン４１の奥側に配置され、それぞれ垂直方向に延在し左右に並設された複数のフィン４２とで構成され、これらフィン４１，４２は、フレーム４３に揺動可能に支持され、かつ、それぞれリンク４５，４６で連結されている。さらに中央のフィン４１には、風向調整つまみ４４が摺動可能に設けられ、この風向調整つまみ４４を上下に傾倒させたり左右にスライドさせることにより、複数のフィン４１，４２を平行な位置関係に維持した状態で上下および左右に揺動させ風向を調節可能である。フレーム４３は、ガーニッシュ３の裏面側から開口部３２に嵌合され、開口部３２の周囲に立設した固定片部３４に係止され、かつ、ガーニッシュ３をインストルメントパネル１０に固定することで、ガーニッシュ３とメインパネル１０ａとの間に固定される。
【００１４】
上記空調ルーバー４は開口部３２全体には設けられておらず、開口部３２（フレーム４３）の下側の一部を開放された状態で残し、意匠面側から締付固定部１５を螺着する作業を行うための作業口３５としている。これにより、ガーニッシュ３、空調ルーバー４を組付けたオーディオユニット１の取付けに際しては、ブラケット１４の差込部１６を車体メンバー（図示せず）へ差し込むと同時に、ガーニッシュ３の係止部３３ａ，３３ｂ，３３ｃ，３３ｄをインストルメントパネル１０に嵌合し、次いで、作業口３５から締付ねじを挿入し締付固定部１５をインストルメントパネル１０（メインパネル１０ａ）の固定部に締め付け固定可能である。
【００１５】
上記作業口３５には、該作業口３５を閉鎖し締付固定部１５を覆うためのカバー５が着脱可能に設けられている。カバー５は、作業口３５と同形状の蓋部５１と、該蓋部５１から意匠面側に立設した片部５２と、前記蓋部５１の裏面側に突設した固定用の係止部５３とを備え、樹脂材を用いてこれらを一体に成型してなるものであり、図６に示すように、前記係止部５３を前記作業口３５に嵌合することにより、該作業口３５に固定される。かかるカバー５の嵌め込みによって、前記締付固定部１５の締付ねじを隠すことができ、外観が良好となる。
【００１６】
カバー５の蓋部５１から立設された片部５２は、空調ルーバー４を構成するフィン４１と同意匠で形成され、カバー５を作業口３５に取り付けた状態で、あたかも空調ルーバー４の一部であるかのように見える形状としている。即ち、片部５２はその上方に配置したフィン４１と略等しい板厚および高さを有すると共に、片部５２と、直近のフィン４１との間隔Ｌ１が、複数のフィン４１の間隔Ｌ２と等しくしてあり、これにより、カバー５を空調ルーバー４に同化させ隠すことができる。
【００１７】
また、カバー５の片部５２は、該カバー５を着脱するときに作業者が該片部５２を指でつまむことが可能な把持部を兼ねるように、直近のフィン４１との間隔Ｌ１が、人の指が入る間隔としてある。これにより、工具等を必要とせず、カバー５の着脱を容易に行なうことができる。尚、前記片部５２は複数設けてもよいが、空調機器の吹出し口２の有効断面積を確保するうえで最小限の１枚にとどめることが有利である。
【００１８】
また、蓋部５１の意匠面側の色は、黒やグレー等の暗色とするのが好ましい。これにより、空調ルーバー４を構成するフィン４１の間から見える内部の暗さが表現でき、カバー５を空調ルーバー４に同化して見せることができ、外観が良好となる。さらに、前記空調ルーバー４およびカバー５全体を黒やグレー系の暗色とすることにより、カバー５を単一色で構成でき、製造コストを抑えるうえで有利である。
【００１９】
一方、前記カバー５を空調ルーバー４に同化して見せる効果を高めるために、空調ルーバー４の風向調整つまみ４４を開口部３２の中央に配置している。一般に空調ルーバーへの操作性を考慮して風向調整つまみは空調ルーバーの中央に配置されるが、本実施形態では空調ルーバー４の中央ではなく、作業口３５を含めた開口部３２全体の中央に風向調整つまみ４４を配置している。図６に示す例では、空調ルーバー４は、最上部の固定フィン４１ａを含めて８枚のフィン４１で構成されるが、カバー５の片部５２を含めて中央に位置したフィン４１に風向調整つまみ４４を設けている。なお、図示例では、開口部３２が上下対称形状であるため、枚数および寸法位置において中央のフィン４１に風向調整つまみ４４を設けているが、開口部が上下非対称形状である場合は、開口部の幾何学的中心（重心）に設けても良い。
【００２０】
さらに、実施形態のフィン４１は、図６に示すように、フィン４１の前側、好ましくは最前部に揺動軸が設定されている。これにより、フィン４１の角度調節を行った場合にも、フィン４１と片部５２との間隔Ｌ１が殆ど変化せず、カバー５を空調ルーバー４に同化させる効果が維持される。
【００２１】
なお、上記実施形態においては、オーディオユニット１のガーニッシュ３を両側に拡張した部分に開口部３２を設ける場合を示したが、ガーニッシュ３をオーディオ操作パネル領域３１に留め、開口部（フレーム４３）をインストルメントパネル１０の意匠面に設けることもできる。但し、実施形態のように開口部３２をガーニッシュ３に一体で設けた場合は、ガーニッシュ３と空調ルーバー４との間の見切りラインを減らすことができて外観が良好となる。
【００２２】
また、複数のフィン４１のうち、任意の１枚（乃至は数枚）のフィン４１を、開口部３２のオーディオユニット１から遠い側にのみ限定的に設ける一方、開口部３２のオーディオユニット１に隣接した側に作業口３５およびカバー５を設け、該カバー５に、前記限定的なフィン４１の延在方向に連続するように片部５２を形成することもできる。その場合、他のフィン４１に、前記限定的なフィン４１と片部５２との間隙を模した切り欠き等を設けても良い。また、前記限定的なフィンは、固定フィンであっても良い。
【００２３】
また、上記実施形態では、開口部３２をオーディオ操作パネル領域３１の左右両側に配置した場合を示したが、本発明は、開口部をオーディオ操作パネル領域の下側や上側に隣接して配置する形態として実施することもできる。また、上記実施形態では、手前側のフィン４１が水平方向に延在し、奥側のフィン４２が垂直方向に延在する空調ルーバー４について述べたが、これとは逆に、手前側のフィンが垂直方向に延在し、奥側のフィンが水平方向に延在する空調ルーバーに実施することも可能である。
【００２４】
以上、本発明の実施の形態について、車載機器がオーディオユニットである場合を例にとり述べたが、本発明は上記実施形態に限定されるものではなく、空調操作ユニットやカーナビゲーションシステム等、他の車載機器の固定部と組合せて実施可能であり、さらに、本発明の技術的思想に基づいて各種の変形および変更が可能である。
【図面の簡単な説明】
【００２５】
【図１】本発明の実施形態に係る自動車のインストルメントパネルを示す斜視図である。
【図２】本発明の実施形態に係る空調用空気吹出し口を備えたガーニッシュ付近を示す斜視図である。
【図３】本発明の実施形態に係る空調用空気吹出し口およびオーディオユニット付近を示す斜視図である。
【図４】本発明の実施形態に係る空調用空気吹出し口を備えたガーニッシュおよびオーディオ機構部を示す後方から見た斜視図である。
【図５】本発明の実施形態に係る空調用空気吹出し口付近を示す拡大斜視図である。
【図６】本発明の実施形態に係る空調用空気吹出し口付近を示す縦断面図である。
【符号の説明】
【００２６】
１  オーディオユニット
２  空調用空気吹出し口
３  ガーニッシュ（内装材）
４  空調ルーバー
５  カバー
１０  インストルメントパネル
１０ａ  メインパネル
１１  操作ボタン
１２  オーディオ機構部
１４  固定用ブラケット
１５  締付固定部
１６  差込部
３１  オーディオ操作パネル領域
３２  開口部
３３ａ，３３ｂ，３３ｃ，３３ｄ  係止部
３４  固定片部
３５  作業口
４１，４２  フィン
４３  フレーム
４４  風向調整つまみ
４５，４６  リンク
５１  蓋部
５２  片部
５３  係止部
【図１】
2007190933.tif 000003
【図２】
2007190933.tif 000004
【図３】
2007190933.tif 000005
【図４】
2007190933.tif 000006
【図５】
2007190933.tif 000007
【図６】
2007190933.tif 000008